(57)【特許請求の範囲】
【請求項１】
固定側メンバーと、該固定側メンバーとボールおよびボールリテーナーを介して互いに摺動自在となした移動側メンバー等より構成され、固定側メンバーに対し移動側メンバーの最大引出し状態、及び最大収納状態で仮保持する一つの保持用部材を有するスライドレールにおいて、前記保持用部材は、移動側メンバーの基板の内面に当接する取付基板と、取付基板の移動側メンバーの両折曲縁側両端部から、移動側メンバーの基板から順次離間して突出し、端部が移動側メンバーの内向き円弧状の両折曲縁内面に係止する両係止突片と、取付基板の前端部から、固定側メンバーの基板方向に弓形となし前方に突出した弾性突片より、移動側メンバーの材質より硬い板バネ材にて一体に形成され、前記係止突片を移動側メンバーの両折曲縁内面に係止させることにより、保持用部材が移動側メンバーに取り付けられ、移動側メンバーが最大引出し状態となったとき、固定側メンバーに形成された前保持部の端面に接触して弓形が偏平に弾性変形した後復帰した弾性突片と前保持部によって、移動側メンバーの最大引出し状態が仮保持され、移動側メンバーが最大収納状態となったとき、固定側メンバーに形成された後保持部の端面に接触して弓形が偏平に弾性変形した後復帰した弾性突片と後保持部によって、移動側メンバーの最大収納状態が仮保持されている
【発明の詳細な説明】
【０００１】
【発明の属する技術分野】
本発明は、固定側メンバーに対し移動側メンバーを引出し状態、収納状態で仮保持する保持用部材を有するスライドレールに関するものである。
【０００２】
【従来の技術】
従来、固定側メンバーと、該固定側メンバーとボールおよびボールリテーナーを介して互いに摺動自在となした移動側メンバーより構成されたスライドレール（基本構造の断面を図５に示す。）は、移動側メンバーに連結された機器等の点検等を行うため、移動側メンバーを最大引き出した状態で、仮保持したり（最大引出し保持機能）、機器本体の移動途中に不用意に機器等が引き出されないよう、移動側メンバーを固定側メンバーに最も収納した状態で仮保持する（最大収納時保持機能）必要があった。
【０００３】
この為、従来、最大引出し保持機能を有するスライドレールの保持用部材は、図８、図９に示すように、基板ｂ１と、基板ｂ１から引出し方向に突出し、先端に係止段部ｂ２が形成された弾性脚部ｂ３が、板バネ材より一体に形成されてなり、固定側メンバーａの基板ａ１の所定位置に保持部材ｂの基板ｂ１をリベット止めし、移動側メンバーｃの基板ｃ１の後端部に固定側メンバーａの基板ａ１方向に突出して形成されたリテーナ後ストッパーｃ２に、移動側メンバーが所定位置まで引き出された時、係止段部ｂ２を弾性的に係止させる事で、最大引出し保持機能を有していた。
【０００４】
又、収納時保持機能を有するスライドレールの保持用部材は、実開昭５７ー１８９４５０号に示すように、基板と、基板から引出し方向に突出し、山形の係合突部を有するはね返り防止部が板バネ材より一体に形成されなり、固定側メンバーの基板の後端に保持部材の基板をリベット止めし、移動側メンバーの基板の後端部に固定側メンバーの基板方向に突出して形成されたリテーナ後ストッパーに、移動側メンバーが完全に収納された時、係合突部を弾性的に係合させる事で、収納時保持機能を有していた。
すなわち、最大引出し保持機能を有するスライドレールに取り付けられる保持用部材と、収納時保持機能を有するスライドレールに取り付けられる保持用部材は同一部材を兼用することが出来なかった。
【０００５】
さらに、前記最大引出し保持機能を有するスライドレールの場合、図８の状態から、移動側メンバーｃのリテーナ後ストッパーｃ２が係止段部ｂ２を乗り越して、移動側メンバーｃを収納していくと、移動側メンバーｃの移動量の２分の１の移動量で、ボールリテーナーｄは、ボールｅ・・・と共に移動側メンバーと同一方向に移動するが、保持用部材ｂは、係止段部ｂ２がボールリテーナーｄの基板ｄ１に弾性的に当接し、固定側メンバーａに固定されているので、常にボールリテーナーｄの動きを阻止するよう作用する。（移動側メンバーｃが引き出される場合も同様である。）
この為、移動側メンバーｃの摺動を軽くする為、ボールｅ・・・・を移動側レールｃと固定側メンバーａに軽く接触させる仕様にすると、ボールリテーナーｄが保持用部材ｂに干渉されて移動側メンバーｃの動きに対応せず、固定側メンバーａ内に取り残され、移動側メンバー２の摺動が均一でなくなる事があった。  一方、保持用部材ｂの干渉に抗してボールリテーナーｄを所定通りに移動させるよう、ボールｅ・・・・と移動側メンバーｃ及び固定側メンバーａをを強く接触させる仕様にすると、移動側メンバーｃの摺動力が重くなる欠点があった。
又、保持用部材の取付方法も基板にリベット止めしている為、手間を要し高価となる問題があった。
【０００６】
【発明が解決しようとする課題】
本発明は、上記問題に鑑みてなされたものであり、簡単な構造で、部品点数を削減し、保持用部材の取付作業も容易で、移動側メンバーの摺動もスムーズな、安価に製作できるスライドレールを提供する事を課題とする。
【０００７】
【課題を解決する為の手段】
そこで上記課題を解決する為、本発明の第１の手段として構成したところは、固定側メンバーと、該固定側メンバーとボールおよびボールリテーナーを介して互いに摺動自在となした移動側メンバー等より構成され、固定側メンバーに対し移動側メンバーの最大引出し状態、及び最大収納状態で仮保持する一つの保持用部材を有するスライドレールにおいて、前記保持用部材は、移動側メンバーの基板の内面に当接する取付基板と、取付基板の移動側メンバーの両折曲縁側両端部から、移動側メンバーの基板から順次離間して突出し、端部が移動側メンバーの内向き円弧状の両折曲縁内面に係止する両係止突片と、取付基板の前端部から、固定側メンバーの基板方向に弓形となし前方に突出した弾性突片より、移動側メンバーの材質より硬い板バネ材にて一体に形成され、前記係止突片を移動側メンバーの両折曲縁内面に係止させることにより、保持用部材が移動側メンバーに取り付けられ、移動側メンバーが最大引出し状態となったとき、固定側メンバーに形成された前保持部の端面に接触して弓形が偏平に弾性変形した後復帰した弾性突片と前保持部によって、移動側メンバーの最大引出し状態が仮保持され、移動側メンバーが最大収納状態となったとき、固定側メンバーに形成された後保持部の端面に接触して弓形が偏平に弾性変形した後復帰した弾性突片と後保持部によって、移動側メンバーの最大収納状態が仮保持されているものである。
【００１３】
【実施例】
以下、本発明の実施例を図１〜図７に基づいて説明する。
符号１００は本発明のスライドレールを示し、符号１は固定側メンバー１を示し、符号２は移動側メンバー２を示し、符号３は固定側メンバー１と移動側メンバー２間に介在するボールリテーナーを示している。
【００１４】
固定側メンバー１は、金属製の細長条板の短手両端部を外向き円弧状に折り曲げて形成された内面長手方向（摺動方向）にボール案内溝を有する両折曲縁１１、１１と、基板１２より断面略Ｃ字形に形成されている。  そして、摺動方向の引き出し側前端部に、ボールリテーナー３の摺動方向の引き出し側の前端部が当接し、ボールリテーナー３の摺動範囲を規制する固定側メンバー前端ストッパー１３（本発明では前保持部５を兼用している。）が移動側メンバー２方向に突出して形成され、摺動方向の収納側後端部に、移動側メンバー２が固定側メンバー１に完全に収納された時に、その後端部が当接する固定側メンバー後端ストッパー１４が移動側メンバー２方向に突出して形成されている。
符号１５・・・は、ＯＡ機器等の本体（固定側）との連結孔を示している。
符号１６は、移動側メンバー２が最も収納された状態で仮保持する為の後保持部を示している。
【００１５】
移動側メンバー２は固定側メンバー１とほぼ同長で、金属製の細長条板の短手両端部を内向き円弧状に折り曲げて形成された外面長手方向（摺動方向）にボール案内溝を有する両折曲縁２１、２１と、基板２２より、断面略Ｃ字形に形成されている。
そして、両折曲縁２１、２１の収納側後端部に外方に突出して、移動側メンバー２の最大伸長時に、最後端部のボール３３に当接して、引出し方向への摺動を停止せしめる移動側メンバーストッパー２３、２３が形成されている。
そして、移動側メンバー２が固定側メンバー１に完全に収納された時、前記固定側メンバー後端ストッパー１４に両折曲縁２１、２１の後端が当接して停止する。
符号２４・・・は、ＯＡ機器等の部材との取付孔を示している。
符号２５は、保持用部材４を所定位置に取付ける為に固定側メンバー１方向に突出せしめた嵌入突部を示している。
【００１６】
ボールリテーナー３は、上記両メンバー１、２の半分程度の長さの金属製の細長条板の短手両端部を、両メンバー１、２の折曲縁１１、１１、２１、２１間に突出せしめたＬ字形の折曲片３１、３１と、折曲片３１、３１間に略コ字形に形成された基板３２より構成され、折曲片３１、３１の長手方向にボール３３・・・を回転自在に保持している。
【００１７】
そして、移動側メンバー２の最大伸長状態で、ボールリテーナー３の基板３２の前端部は、固定側メンバー前端ストッパー１３の内面に当接し、その最後端のボール３３、３３には移動側メンバー２の移動側メンバーストッパー２３、２３が当接する。
この時、移動側メンバー２の基板２２の内面所定位置に取付られた保持用部材４が、前記固定側メンバー前端ストッパー１３（前保持部５）と連係して、移動側メンバー２の最大伸長状態を仮保持する。
【００１８】
前記保持用部材４は、インナーメンバー２の基板２２内面に当接する取付基板４１と、取付基板４１のインナーメンバー２の両折曲縁２１、２１側両端部から、インナーメンバー２の基板２２から順次離間して突出し、端部がインナーメンバー２の内向き円弧状の両折曲縁２１、２１内面に係止する両係止突片４２・・・と、取付基板４１の前端部から、アウターメンバー１の基板１２方向に弓形となし前方に突出した弾性突片４３より、インナーメンバー２の材質より硬いステンレスの板バネ材にて一体に構成されている。
符号４４は、保持用部材４の取付位置の正確さを確保するためと、保持用部材４とインナーメンバー２の材質が同じ場合に、保持用部材４がスライドレール１００の摺動方向への移動を阻止する為に、インナーメンバー２の嵌入突部２５に対応して形成された嵌合孔である。
【００１９】
すなわち、保持用部材４がインナーメンバー２の材質より硬い材質で形成されると、保持用部材４がインナーメンバー２に取り付けられる時、係止突片４２・・・が、両折曲縁２１、２１の内面に食い込む事により、インナーメンバー２の両折曲縁の内面に単に係止して、アウターメンバー１側への移動を阻止するだけでなく、摺動方向への移動も阻止される。
又、移動メンバー２の摺動途中で、弾性突片４３の頂部４３１がボールリテーナー３の基板３２に接触しない寸法で、前保持部５、後保持部１６の端面に接触して、弓形が偏平に弾性変形する寸法に形成されている。
【００２０】
本発明は上記の如く構成され、移動側メンバー２が固定側メンバー１に対し引き出されると、保持用部材４の弾性突片４３の頂部４３１はボールリテーナー３の基板３２に接触しないので、移動側メンバー２の移動量の２分の１の移動量で、ボールリテーナー３は、ボール３３・・・と共に移動するが、製作誤差等によって、弾性突片４３の頂部４３１がボールリテーナー３の基板３２に接触していても、保持用部材４とボールリテーナー３は同一方向に移動するので、保持用部材４がボールリテーナー３の移動を阻止する事がなく、移動側メンバー２のスムーズな摺動を得る事が出来る。
【００２１】
そして、移動側メンバー２が所定位置まで摺動すると、弾性突片４３が、前保持部５あるいは後保持部１６に接触しながら弓形が偏平となる方向に弾性変形し、やがてその頂部４３１が、前保持部５あるいは後保持部１６を乗り越えると、もとの形に復帰し、弾性力にて移動側メンバー２を最大伸長状態あるいは収納状態で仮保持する。
そして、移動側メンバー２を弾性突片４３の弾性に抗し前述とは逆の方向に摺動させる事で、弾性突片４３の頂部４３１は、前保持部５あるいは後保持部１６を乗り越えて通常の摺動状態となる。
【００２２】
一方、保持用部材４は、移動側メンバー２の固定側メンバー１の方向から、取付基板４１が移動側メンバー２の基板２２の内面に当接するよう圧入すると、取付基板４１は、やや湾曲に弾性変形しながら、係止突片４２・・・が、インナーメンバーより硬い材質より形成されているので、両折曲縁側２１、２１の内面に食い込んで嵌入し、内向き略円弧状の両折曲縁２の基板２２側内面に係止する事で、固定側メンバー１側への抜け止めと、摺動方向への移動が防止される。  又、移動側メンバー２の基板２２の所定位置に嵌入突部２５を形成し、保持部材４の取付基板に嵌合孔４４を形成する事で、保持部材の前記取付時、嵌合孔４４に嵌入突部２５が嵌合するので、保持用部材の摺動方向への移動は完全に防止される。
【００２３】
【発明の効果】
請求項１に記載の発明によれば、保持用部材を移動側メンバーに設けているので、保持用部材とボールリテーナーは同一方向に移動するので、保持用部材がボールリテーナーの移動を阻止する事がなく、移動側メンバーのスムーズな摺動を得る事が出来る。
【００２４】
又、一つの保持用部材で、最大引出し保持機能と最大収納時保持機能の両方を兼用できるので、部品点数が少なく、安価に製作できる。
【００２５】
又、保持用部材は、移動側メンバーの基板から順次離間して突出し、端部が移動側メンバーの両折曲縁内面に係止する両係止突片を有して、移動側メンバーより硬い材質より形成されているので、保持用部材の取付作業が容易であり、保持用部材の固定側メンバー側への脱落が完全に防止出来る。
又、弾性突片を弓形に形成したので、前保持部、後保持部に接触しながら偏平となる方向に弾性変形し、やがてその頂部が、前保持部あるいは後保持部を乗り越えると、もとの形に復帰し、弾性力にて、移動側メンバーの最大伸長状態あるいは収納状態を仮保持する。
【図面の簡単な説明】
【図１】      本発明のスライドレールの斜視図
【図２】      保持用部材の斜視図
【図３】      本発明のスライド途中の要部横断面図
【図４】      本発明の最大引出し状態の要部横断面図
【図５】      図３のＡ−Ａ線拡大断面図
【図６】      本発明の嵌入突部が位置する個所の横断面図
【図７】      本発明の最大収納状態の横断面図
【図８】      従来例の最大引出し状態の要部横断面図
【図９】      従来例のスライド途中の要部横断面図
【符号の説明】
１              固定側メンバー
１１            折曲縁
１２            基板
１３            固定側メンバー前端ストッパー（前保持部）
１６            後保持部
１００          スライドレール
２              移動側メンバー
２１            折曲縁
２５            嵌入突部
３              ボールリテーナー
４              保持用部材
４１            取付基板
４２            係止突片
４３            弾性突片
４４            嵌合孔
【図１】
0003909262.tif 000002
【図２】
0003909262.tif 000003
【図３】
0003909262.tif 000004
【図４】
0003909262.tif 000005
【図５】
0003909262.tif 000006
【図６】
0003909262.tif 000007
【図７】
0003909262.tif 000008
【図８】
0003909262.tif 000009
【図９】
0003909262.tif 000010